(57)【要約】【課題】発生した不整脈に対して迅速に対処するよう促すことが可能な検出装置および当該検出装置を備えるアラームシステムを提供する。【解決手段】携帯可能な検出装置１０であって、使用者の体表面に貼り付けられた状態で心電図を計測することが可能な計測部と、心電図内に不整脈を示す異常波形が含まれているか否かを解析する解析部と、解析部が異常波形を検出した場合、使用者の周囲の通信端末２０に向けて異常波形が検出された旨を示す検出信号を送信する送信部と、を備える。【選択図】図１
2017209482.tif 000002
【特許請求の範囲】
【請求項１】
携帯可能な検出装置であって、
使用者の体表面に貼り付けられた状態で心電図を計測することが可能な計測部と、
前記心電図内に不整脈を示す異常波形が含まれているか否かを解析する解析部と、
前記解析部が前記異常波形を検出した場合、使用者の周囲の通信端末に向けて前記異常波形が検出された旨を示す検出信号を送信する送信部と、
を備える、
検出装置。
【請求項２】
さらに、
前記異常波形が検出された場合にアラームを発するアラーム部を備える、
請求項１に記載の検出装置。
【請求項３】
前記アラームには、不整脈が発生した旨を示す音声メッセージが含まれる、
請求項２に記載の検出装置。
【請求項４】
前記不整脈は、心室細動または心房細動であり、
前記異常波形は、前記心室細動または心房細動を示す波形であり、
前記解析部は、前記心電図内に心室細動または心房細動を示す異常波形が含まれているか否かを解析する、
請求項１から請求項３のいずれか一項に記載の検出装置。
【請求項５】
前記異常波形が検出された場合、前記使用者に除細動のための電気的刺激を与える除細動部と、
前記除細動に必要な電力を供給可能な電源部と、
を備える、
請求項４に記載の検出装置。
【請求項６】
前記検出装置は使用者の体表面に装着された状態で携帯可能な形状である、
請求項１から請求項５のいずれか一項に記載の検出装置。
【請求項７】
請求項１から請求項６のいずれか一項に記載の検出装置と、
前記検出装置と通信可能な通信端末と、
を備え、
前記通信端末は、
前記検出装置の前記送信部から送信された前記検出信号を受信する受信部と、
前記検出信号を受信した場合にアラームを発する端末アラーム部と、
を有する、
アラームシステム。
【請求項８】
前記端末アラームが発する前記アラームには、不整脈が発生した旨を示す音声メッセージが含まれる、
請求項７に記載のアラームシステム。
【請求項９】
前記通信端末は、点灯部を有し、
前記端末アラームが発する前記アラームには、前記点灯部が点灯することが含まれる、
請求項７または請求項８に記載のアラームシステム。
【請求項１０】
前記通信端末は、携帯型の情報通信端末であり、
前記情報通信端末は、前記検出信号を他の端末機器に自動転送する転送部を備えている、
請求項７から請求項９のいずれか一項に記載のアラームシステム。
【請求項１１】
前記通信端末は、自動体外式除細動器である、
請求項７から請求項１０のいずれか一項に記載のアラームシステム。
【請求項１２】
前記通信端末は、居室内に設置され、前記居室内の居住者の活動量を計測することが可能な活動量計測装置である、
請求項７から請求項１１のいずれか一項に記載のアラームシステム。
【請求項１３】
前記通信端末は、前記検出装置を遠隔的に操作する遠隔操作部を備える、
請求項７から請求項１２のいずれか一項に記載のアラームシステム。
【請求項１４】
前記検出装置は、
前記異常波形が検出された場合、前記使用者に除細動のための電気的刺激を与える除細動部と、
前記除細動に必要な電力を供給可能な電源部と、
を備え、
前記遠隔操作部は、前記検出装置の除細動部を操作して、前記電気的刺激を前記検出装置の使用者に与える、
請求項１３に記載のアラームシステム。
【請求項１５】
前記検出装置は、スピーカ部を備え、
前記遠隔操作部に入力された音声が、前記スピーカ部を介して出力される、
請求項１３に記載のアラームシステム。
【請求項１６】
前記通信端末は、前記計測部で測定された心電図、又は前記解析部で解析された結果が表示される表示部を備える、
請求項７から請求項１５のいずれか一項に記載のアラームシステム。
【発明の詳細な説明】
【技術分野】
【０００１】
本発明は、不整脈を検出することが可能な検出装置及び当該検出装置を備えるアラームシステムに関する。
【背景技術】
【０００２】
心臓発作の懸念がある者をモニタリングするシステムとしては、例えば、医用テレメータシステムがある（特許文献１参照）。
【先行技術文献】
【特許文献】
【０００３】
【特許文献１】特開２００１−７８９７４号公報
【発明の概要】
【発明が解決しようとする課題】
【０００４】
しかしながら、不整脈に起因する心臓発作の救命率は未だに低いのが現状である。例えば、救命の処置が遅れてしまった心臓発作のケース全体のうち、在宅中に心臓発作が発生したケースの割合は約７０％であるという調査報告がある。これは、不整脈に起因して心臓発作が発生した際に、患者の周囲の者（家族等）が気づかずに対処が遅れてしまったり、患者の周囲に人が居なかったために対処が遅れてしまったケースが多いためと考えられる。
【０００５】
本発明の目的は、発生した不整脈に対して迅速に対処するよう促すことが可能な検出装置および当該検出装置を備えるアラームシステムを提供することである。
【課題を解決するための手段】
【０００６】
上記目的を達成するために、本発明の検出装置は、
携帯可能な検出装置であって、
使用者の体表面に貼り付けられた状態で心電図を計測することが可能な計測部と、
前記心電図内に不整脈を示す異常波形が含まれているか否かを解析する解析部と、
前記解析部が前記異常波形を検出した場合、使用者の周囲の通信端末に向けて前記異常波形が検出された旨を示す検出信号を送信する送信部と、
を備える。
【０００７】
上記構成によれば、検出装置を装着した使用者の心臓で不整脈が発生した場合、検出装
置は、計測中の心電図内に不整脈を示す異常波形が含まれていることを検出して、検出信号を使用者の周囲の通信端末に向けて送信する。このため、使用者が不整脈により意思疎通が困難な状態であったとしても、検出信号を受信した通信端末を通じて、使用者の周囲の人に注意を促し、不整脈に対して迅速に対処するよう促すことができる。また、比較的に自覚しにくい不整脈に対しても、使用者の周囲の人や本人に対して注意を促し迅速に対処するよう促すことができる。
【０００８】
また、本発明のアラームシステムは、
上記の検出装置と、
前記検出装置と通信可能な通信端末と、
を備え、
前記通信端末は、
前記検出装置の前記送信部から送信された前記検出信号を受信する受信部と、
前記検出信号を受信した場合にアラームを発する端末アラーム部と、
を有する。
【０００９】
上記構成によれば、検出装置を装着した使用者の心臓で不整脈が発生した場合、検出装置は、計測中の心電図内に不整脈を示す異常波形が含まれていることを検出して、検出信号を使用者の周囲の通信端末に向けて送信する。そして、検出信号を受信した通信端末は、周囲に対してアラームを発する。このため、使用者が不整脈により意思疎通が困難な状態であったとしても、通信端末が発するアラームを通じて、使用者の周囲の人に注意を促し、不整脈に対して迅速に対処するよう促すことができる。また、比較的に自覚しにくい不整脈に対しても、使用者の周囲の人や本人に対して注意を促し迅速に対処するよう促すことができる。
【発明の効果】
【００１０】
本発明の検出装置及びアラームシステムによれば、発生した不整脈に対して迅速に対処するよう促すことができる。
【図面の簡単な説明】
【００１１】
【図１】本発明の実施形態に係るアラームシステムの構成図である。
【図２】検出装置の外観を示す図である。
【図３】検出装置の本体部の機能ブロック図である。
【図４】（ａ）は心室細動時の心電図の一例であり、（ｂ）は心房細動時の心電図の一例である。
【図５】通信端末の機能ブロック図である。
【図６】アラームシステムの動作を説明する図である。
【図７】アラームシステムの動作を説明する図である。
【図８】アラームシステムの変形例を示す図である。
【図９】検出装置の変形例を示す図である。
【図１０】通信端末の変形例を示す図である。
【図１１】アラームシステムの変形例を示す図である。
【図１２】アラームシステムの変形例の動作を説明する図である。
【発明を実施するための形態】
【００１２】
以下、本実施形態の一例について、図面を参照して詳細に説明する。
図１に示すように、アラームシステム１は、検出装置１０と、スマートフォンやタブレット等で構成される携帯型の情報通信端末２０（通信端末の一例）と、パソコン３０Ａや携帯型の情報通信端末３０Ｂ等で構成される端末機器３０と、を備えている。
【００１３】
検出装置１０は、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等の短距離型の無線通信の技術により、情報通信端末２０と通信可能である。情報通信端末２０は、インターネット等のネットワークを介して、例えば遠方に位置する端末機器３０と通信可能である。
【００１４】
検出装置１０は、図２〜図３に示すように、本体部１１と、シート部１８と、を備えている。シート部１８は、例えば長尺状の薄型のシートであり、第一面Ｓ１と、第一面Ｓ１とは反対側の第二面Ｓ２とを有している。第一面Ｓ１には本体部１１が固定されていて、第一面Ｓ１とは反対側の第二面Ｓ２には、本体部１１と連携して計測部として機能することが可能な一対の電極１２が固定されている。第二面Ｓ２は、使用者の体表面に直接貼り付けられる部位であり、第二面Ｓ２の最表面は、粘着性のある材料で形成されている。一対の電極１２は、第二面Ｓ２が使用者の体表面に貼り付けられた状態において、その使用者の心電図を計測することが可能なセンサ素子として機能するものであり、本体部１１と電気的に接続されている。
【００１５】
本体部１１は、受信部１９と、解析部１３と、アラーム部１４と、電源部１５と、記憶部１６と、送信部１７と、を備えており、例えば、心電図解析専用の半導体チップで構成されている。
【００１６】
受信部１９は、解析部１３と接続されている。受信部１９は、電極１２から送られてきた心電図を受信して、解析部１３へと送信することが可能である。
【００１７】
解析部１３は、本体部１１内の各部と接続されている。解析部１３は、例えば、受信部１９から取得した心電図内に不整脈を示す異常波形が含まれているか否かを解析可能である。異常波形の一例としては、心室細動Ｗ１（ＶＦ）が発生しているときに計測される心電図中の波形（図４（ａ）参照）、心房細動Ｗ２（ＡＦ）が発生しているときに計測される心電図中の波形（図４（ｂ）参照）等がある。解析部１３は、例えば、単位時間当たりの心拍数が所定の値を超過、異常波形の外形やピーク間隔のばらつき等の特徴因子に基づいて予め設計された判別アルゴリズムを利用して、心電図に対して解析を行う。
【００１８】
解析部１３は、解析の結果、計測中の心電図内に異常波形を検出した場合、異常波形を検出した旨を示す検出信号を生成する。生成された検出信号は、アラーム部１４や送信部１７に向けて送信される。
【００１９】
アラーム部１４は、解析部１３や記憶部１６と接続されており、後述するアラーム音や音声メッセージを出力することが可能なスピーカとして機能するものである。アラーム部１４は、例えば、検出信号を受信した場合に動作する。
【００２０】
電源部１５は、本体部１１内の各部と接続されており、動作に必要な電力を供給する。
記憶部１６は、解析部１３やアラーム部１４と接続されており、上述の判別アルゴリズム、アラーム音、音声メッセージなどを記憶している。アラーム音としては、周囲に対して注意を喚起するような音量や音調のものが好ましい。また、音声メッセージとしては、「心臓発作が発生しました」等の不整脈の発生を知らせるメッセージ、「心臓マッサージして下さい」等の迅速な処置を促すメッセージ、「近くにＡＥＤはありませんか？」等の自動体外式除細動器（ＡＥＤ）の使用を促すメッセージ等が含まれる。
【００２１】
送信部１７は、例えば、ＮＦＣやＢｌｕｅｔｏｏｔｈ（登録商標）等の短距離型の無線通信の技術により、情報通信端末２０に向けて検出信号を送信可能である。
【００２２】
情報通信端末２０は、例えば、スマートフォンやタブレット等の携帯型の通信機器である。情報通信端末２０は、図５に示すように、受信部２１、制御部２２、送信部２３、表示部２４、アラーム部２５（端末アラーム部の一例）、点灯部２６と、電源部２７と、記憶部２８と、を備えている。
【００２３】
受信部２１は、制御部２２と接続されており、検出装置１０の送信部１７から無線通信で送信されてきた検出信号を受信して、制御部２２へと送信することが可能である。
【００２４】
制御部２２は、情報通信端末２０の本体部内の各部と接続されており、各部の動作を制御する。例えば、制御部２２は、受信部２１から検出信号を受信した場合、記憶部２８に予め記憶された転送先リスト等を参照して、送信部２３に対して、検出信号を転送先リスト内の所定の宛先に送信するよう命令することが可能である。転送先リストの宛先としては、例えば、使用者の家族が所有するパソコン３０Ａのメールアドレス、当該家族が所有する情報通信端末３０Ｂの電話番号やメールアドレス、使用者を担当する主治医等の医療従事者が使用するパソコンのメールアドレス等が含まれる。
このように、制御部２２は、受信部２１、記憶部２８、送信部２３と連携して、検出信号を他の端末機器に自動転送する転送部として機能することが可能である。
【００２５】
表示部２４は、制御部２２や記憶部２８と接続されており、例えば、薄型のタッチパネルディスプレイで構成されている。表示部２４は、例えば、情報通信端末２０が有するアプリケーションを起動させるための操作が可能な画面を表示することが可能である。表示部２４は、例えば、検出信号を受信した制御部２２からの命令に従って、不整脈が発生した旨を示すメッセージを含むアラーム画面を表示可能である。
【００２６】
アラーム部２５は、制御部２２や記憶部２８と接続されており、アラーム音や音声メッセージを出力することが可能なスピーカとして機能するものである。アラーム部２５は、例えば、検出信号を受信した制御部２２からの命令に従って、アラーム音や音声メッセージを出力する。
【００２７】
点灯部２６は、制御部２２や記憶部２８と接続されており、例えば、所定の点灯パターンで点灯するアラーム灯として機能するものである。点灯部２６は、例えば、検出信号を受信した制御部２２からの命令に従って、肉眼で眩しいと感じる程度の光を繰り返し点滅して、情報通信端末２０の周囲に対して注意を喚起させる。
【００２８】
電源部２７は、情報通信端末２０の本体内の各部と接続されており、各部の動作に必要な電力を供給する。
【００２９】
記憶部２８は、制御部２２、表示部２４、アラーム部２５および点灯部２６と接続されており、各機能を実行するためのアプリケーション、自動転送する際の転送先リスト、点灯パターン、アラーム音、音声メッセージなどを記憶している。アラーム音や音声メッセージは、例えば、検出装置１０の記憶部１６が記憶するものとして例示した内容と同等で良い。
【００３０】
次に、アラームシステム１の動作例について説明する。
【００３１】
＜検出装置１０の動作例＞
検出装置１０を装着した使用者の心臓に心室細動が発生した場合、検出装置１０は、以下のように動作する。
【００３２】
検出装置１０では、電極１２から送られてきた心電図に対して解析部１３による解析が行われる。
【００３３】
解析部１３は、上述のように、予め設計された判別アルゴリズムを利用して、心電図に対して解析を行う。本例の場合、解析部１３は、心電図内に不整脈（心室細動（ＶＦ））を示す異常波形が含まれていることを検出して、異常波形を検出した旨を示す検出信号を生成する。生成された検出信号は、アラーム部１４や送信部１７に向けて送信される。
【００３４】
検出信号を受信したアラーム部１４は、周囲に対して注意を喚起するような音量や音調のアラームを出力する。また、上述の「心臓発作が発生しました」等の不整脈の発生を知らせる音声メッセージを出力する。
【００３５】
送信部１７は、ＮＦＣやＢｌｕｅｔｏｏｔｈ（登録商標）等の短距離型の無線通信の技術により、情報通信端末２０に向けて検出信号を送信する。
【００３６】
以上のように、検出装置１０を装着した使用者の心臓で不整脈が発生した場合、検出装置１０は、計測中の心電図内に不整脈を示す異常波形が含まれていることを検出して、検出信号を使用者の周囲の情報通信端末２０に向けて送信する。このため、使用者が不整脈により意思疎通が困難な状態であったとしても、検出信号を受信した情報通信端末２０を通じて、使用者の周囲の人に注意を促し、不整脈に対して迅速に対処するよう促すことができる。
【００３７】
また、上記によれば、検出装置１０自体が出力するアラーム音や音声メッセージを介して、使用者の周囲の人や本人に対して注意を促し、不整脈に対して迅速に対処するよう促すことができる。発生した不整脈が重篤度や緊急性の高い心室細動であって、使用者が例えば意思疎通の困難な状態に陥った場合であっても、検出装置１０自体が出力するアラーム音や音声メッセージにより、使用者の周囲の人に対して注意を促し迅速に対処するよう促すことができる。
【００３８】
＜情報通信端末２０の動作例＞
続いて、検出装置１０から検出信号を受信した場合、情報通信端末２０は、以下のように動作する。
【００３９】
図６に示すように、情報通信端末２０において、受信部２１から検出信号を受信した制御部２２は、表示部２４に対して、「緊急事態です。」等の注意喚起のためのメッセージ、「近くにＡＥＤはありませんか？」等の自動体外式除細動器（ＡＥＤ）の使用を促すメッセージ、「心臓マッサージして下さい」等の迅速な処置を促すメッセージを含むアラーム画面Ｇ１を表示させる。
【００４０】
また、制御部２２は、アラーム部２５に対して、「心臓発作が発生しました！！」等の周囲に状況を知らせて注意を喚起するための音声メッセージを出力させる。また、制御部２２は、点灯部２６に対して、周囲の人が注意を引く程の強い光を点滅させる。
【００４１】
上記の動作と並行して、制御部２２は、記憶部２８に予め記憶された転送先リストを参照して、送信部２３に対して、検出信号を使用者の家族の所有する端末機器３０（３０Ａ，３０Ｂ）に送信するよう命令する。
【００４２】
以上のように、検出信号を受信した情報通信端末２０は、その周囲に対して、アラーム音や音声メッセージを発する。このため、使用者が不整脈により意思疎通が困難な状態であったとしても、情報通信端末２０が発するアラーム音や音声メッセージを介して、使用者の周囲の人に注意を促し、不整脈に対して迅速に対処するよう促すことができる。また、表示部２４にアラーム画面Ｇ１を表示させることにより、使用者の状況や行うべき処置などの必要な情報を、情報通信端末２０を見た人に正確に伝え、迅速な処置をより促すことができる。
【００４３】
また、点灯部２６の点灯により、使用者の周囲の人や本人に対して更に注意を喚起しやすくなるとともに、不整脈に対して更に迅速に対処するよう促すことができる。
【００４４】
＜端末機器３０（３０Ｂ）の動作例＞
続いて、情報通信端末２０から検出信号が転送されて受信した場合、使用者の家族が所有する情報通信端末３０Ｂは、以下のように動作する。
なお、情報通信端末３０Ｂは、情報通信端末２０と同等の構成を備えており、図７に示すうに、表示部３４、アラーム部３５、点灯部３６や、図示せぬ制御部等を有している。
【００４５】
検出信号が転送されてきた情報通信端末３０Ｂでは、表示部３４に、「緊急事態です。」等の注意喚起のためのメッセージ、「至急、お父さんの状況を確認して下さい。」等の迅速な処置を促すメッセージを含むアラーム画面Ｇ２が表示される。
【００４６】
また、アラーム部３５は、「お父さんが心臓発作で倒れている可能性があります！！」等の緊急事態の可能性を知らせる音声メッセージを出力する。また、点灯部３６は、情報通信端末３０Ｂを携帯する者が注意を引く程の強い光を点滅させる。
【００４７】
以上のように、情報通信端末２０に自動転送機能を設定することで、検出信号は、不整脈が発生した使用者が携帯していた情報通信端末２０を介して、使用者の家族等が所有する情報通信端末３０Ｂに転送される。このため、使用者の家族等は、遠隔に居る家族は迅速に不整脈発生の旨を知ることができる。また、家族だけでなく、複数の者（医療従事者等）の端末機器３０に検出信号を転送してもよい。
【００４８】
なお、以上の動作例では、検出装置１０を装着した使用者の心臓に心室細動が発生した場合を想定して説明したが、この例に限られない。例えば、心室細動と比較して緊急度が比較的に低い心房細動が発生した場合にも、本発明を適用することができる。心房細動の場合は、例えば、アラーム画面内に文字メッセージ「心房細動が発生した疑いがあります。病院に行って診断を受けてください」を表示させても良いし、この文字メッセージを音声メッセージとして出力しても良い。自動転送機能に関しても、心室細動の場合と同様に、家族だけでなく、複数の者（医療従事者等）の端末機器３０に検出信号を転送して、使用者の健康状態を共有して良い。
【００４９】
この構成によれば、心室細動と比較して比較的に自覚しにくい心房細動に対して、使用者の周囲の人や本人に注意を促し迅速に対処するよう促すことができる。
【００５０】
また、不整脈の例としては、心室細動や心房細動に限られず、心電図の波形を解析して比較的に精度が高く異常波形の種別を自動判別できるタイプの症状であれば、本発明を適用することは可能である。
【００５１】
＜変形例１＞
上記の例では、検出装置１０が検出信号を直接送信する端末として、使用者の情報通信端末２０を例に挙げたが、この例に限られない。例えば、図８に示すように、検出装置１０は、自動体外式除細動器２０Ａや活動量計測装置２０Ｂや屋内の火災などの警報装置（図示せず）に対して、無線通信により検出信号を送信する構成であっても良い。
【００５２】
自動体外式除細動器２０Ａは、例えば、使用者Ｈ１の住戸内に設置されており、検出信号を検出装置１０から受信可能に構成されている。受信信号を受信した自動体外式除細動器２０Ａは、情報通信端末２０と同様に動作可能であり、周囲に対して、「緊急事態です。」等の注意喚起のための音声メッセージ、「ＡＥＤはここに有ります！」等の自動体外式除細動器２０Ａの場所を知らせる音声メッセージ、「心臓マッサージして下さい」等の迅速な処置を促す音声メッセージを出力することが可能である。また、自動体外式除細動器２０Ａは、点灯部を有して、周囲の人が注意を引く程の強い光を点滅しても良い。ＡＥＤからの出力は、何が起きたかを即座に把握できるだけでなく、ＡＥＤを探す手間が省ける為、迅速な処置に抜群の効果を発揮する。
【００５３】
上記構成によれば、自動体外式除細動器２０Ａから、その機器２０Ａが設置された場所を知らせる音声メッセージ等が出力される。このため、同居人Ｈ２は、音が聞こえてくる方位や音声メッセージの内容から、自動体外式除細動器２０Ａを発見しやすくなり、自動体外式除細動器２０Ａを用いて迅速に対処しやすくなる。
【００５４】
また、活動量計測装置２０Ｂは、使用者Ｈ１の住戸内に設置されており、検出信号を検出装置１０から受信可能に構成されている。活動量計測装置２０Ｂは、使用者Ｈ１の活動量を計測するためのセンサを有しており、インターネット等のネットワークを介して、使用者Ｈ１の活動量を観察する医療従事者、警備会社の担当者、家族等が使用するパソコン３０Ａと通信可能に接続されている。
【００５５】
活動量計測装置２０Ｂは、情報通信端末２０と同様に動作可能であり、周囲に対して、アラーム音、「緊急事態です。」等の注意喚起のための音声メッセージ、「心臓マッサージして下さい」等の迅速な処置を促す音声メッセージ等を出力することが可能である。また、活動量計測装置２０Ｂは、情報通信端末２０と同様に検出信号をパソコン３０Ａに転送しても良い。検出信号を受信したパソコン３０Ａは、「使用者が心臓発作で倒れている可能性があります！！」等の緊急事態の可能性を知らせる音声メッセージを出力したり、同等の文字メッセージを画面に表示させても良い。
【００５６】
上記構成によれば、活動量計測装置２０Ｂや屋内の火災などの警報装置（図示せず）からアラーム音や音声メッセージが発せられることで、同居人Ｈ２に迅速に不整脈の発生を知らせることができる。また、パソコン３０Ａの転送により、遠隔で観察する医療従事者、警備会社の担当者等が迅速に不整脈発生の旨を知ることができる。
【００５７】
＜変形例２＞
図９に、検出装置１０の変形例として、検出装置１０Ａを示す。検出装置１０Ａは、除細動部４０を有している点が検出装置１０と異なり、その他の構成は同様である。
【００５８】
除細動部４０は、解析部１３や電源部１５と接続されている。検出信号を受信した除細動部４０は、電源部１５と連携して心室細動に対する除細動のための電気的刺激を生成し、電極１２を介して使用者に対して当該電気的刺激を付与可能である。
【００５９】
上記構成によれば、発生した心室細動に対して迅速に除細動を行うことができる。
【００６０】
＜変形例３＞
図１０に、通信端末の一例である情報通信端末２０の変形例として、情報通信端末２０Ｃを示す。情報通信端末２０Ｃは、遠隔操作部２９を有する点が情報通信端末２０と異なり、その他の構成は同様である。図１１に、除細動部４０を有する検出装置１０Ａと、遠隔操作部２９を有する情報通信端末２０Ｃと、端末機器３０とを備えるアラームシステム１Ａを示す。アラームシステム１Ａでは、検出装置１０Ａと情報通信端末２０Ｃや端末機器３０とが双方向で通信可能に構成されている。
【００６１】
情報通信端末２０Ｃは、上述のように、遠隔操作部２９を有している。遠隔操作部２９は、制御部２２や送信部２３と接続されており、検出装置１０Ａを遠隔から操作する操作部として機能する。図１２に示すように、遠隔操作部２９は、例えば、表示部２４のタッチディスプレイ上に、検出装置１０Ａの除細動部４０を起動させるための操作画面２９Ａ（除細動ＯＮ）として構成される。
【００６２】
＜動作例＞
例えば、検出装置１０Ａから異常波形を検出した旨を示す検出信号を受信した情報通信端末２０Ｃでは、表示部２４のアラーム画面Ｇ１上に操作画面２９Ａが表示される。これにより、情報通信端末２０Ｃを見た人は、アラーム画面Ｇ１に表示される他の情報や使用者の状態に応じて、除細動が必要であると判断した場合には、操作画面２９Ａを操作することが可能である。操作画面２９Ａが操作されると、除細動部４０の起動を命令する操作信号が情報通信端末２０Ｃから検出装置１０Ａに向けて送信される。操作信号を受信した検出装置１０Ａは、その操作信号に基づいて除細動部４０を起動させて、電源部１５と連携して心室細動に対する除細動のための電気的刺激を生成し、電極１２を介して使用者に対して当該電気的刺激を付与する。
【００６３】
上記構成によれば、検出装置１０Ａ側で除細動部４０が自動的に起動しない場合であっても、情報通信端末２０Ｃを見た人が、アラーム画面Ｇ１に表示される他の情報や使用者の状態に応じて、操作画面２９Ａを操作することで、検出装置１０Ａの除細動部４０を遠隔的に起動させることができる。
【００６４】
なお、遠隔操作部２９は、情報通信端末２０Ｃと端末機器３０とで構成しても良い。言い換えると、遠隔操作部２９を有する通信端末を、情報通信端末２０Ｃと端末機器３０とで構成しても良い。この場合、端末機器３０Ａのキーボードや端末機器３０Ｂのタッチディスプレイ等の入力インターフェースを用いて、除細動部４０の起動を命令する操作信号を生成し、情報通信端末２０Ｃを介して、検出装置１０Ａにその操作信号を送信することができる。
【００６５】
また、端末機器３０や情報通信端末２０Ｃが有するマイク部を遠隔操作部として構成しても良い。例えば、端末機器３０のマイク部に入力された音声メッセージを、情報通信端末２０Ｃを介して検出装置１０Ａに送信して、検出装置１０Ａが有するスピーカ部から出力させても良い。また、情報通信端末２０Ｃのマイク部に入力された音声メッセージを、検出装置１０Ａに送信して検出装置１０Ａが有するスピーカ部から出力させても良い。
【００６６】
また、検出装置１０Ａで計測された心電図や解析部１３による解析結果を検出装置１０Ａから、情報通信端末２０Ｃを介して端末機器３０に送信して、端末機器３０の表示部に表示させても良い。この場合、端末機器３０から検出装置１０Ａを遠隔的に操作して、心電図や解析結果を取得しても良い。また、検出装置１０Ａで計測された心電図や解析部１３による解析結果を、情報通信端末２０Ｃの表示部２４に表示させる構成でもよい。
【００６７】
上記のように、検出装置１０Ａと情報通信端末２０Ｃや端末機器３０とを双方向に通信可能に構成し、検出装置１０Ａを遠隔から操作することが可能にすることで、発生した不整脈に対して種々の方法で迅速に対処することが可能となる。
【００６８】
本発明は、上述した実施形態や変形例に限定されず、適宜、変形、改良等が自在である。その他、上述した実施形態における各構成要素の材質、形状、寸法、数値、形態、数、配置場所等は、本発明を達成できるものであれば任意であり、限定されない。
【００６９】
上述の検出装置（１０，１０Ａ）は、本体部１１と、使用者の体表面に貼り付けられるシート部１８とで構成され、本体部１１に、受信部１９と、解析部１３と、アラーム部１４と、電源部１５と、記憶部１６と、送信部１７等の各部が設けられる例を説明したがこの例に限られない。例えば、使用者の体表面に貼り付けられるシート部１８の電極１２と連携して計測部として機能する受信部１９や送信部１７以外の機能については、本体部１１から分離して別のデバイス（部品）に設けても良い。一部の機能が分離されるデバイスの態様としては、使用者の体表面に貼り付けない形態を採用して良く、例えば、使用者が衣服のポケットに収容可能な形状であったり、使用者が腰に巻くベルトに引っかけて携帯可能な形状であったり、使用者が装着するペンダントに取り付ける形態で良い。前述のデバイスと、本体部１１と、シート部１８とが一体となって機能して、上述の検出装置の機能を発揮することができる。
【符号の説明】
【００７０】
１，１Ａ：アラームシステム、１０，１０Ａ：検出装置、１１：本体部、１２：電極、１３：解析部、１４：アラーム部、１５：電源部、１６：記憶部、１７：送信部、１８：シート部、１９：受信部、２０：情報通信端末、２０Ａ：自動体外式除細動器、２０Ｂ：活動量計測装置、２０Ｃ：情報通信端末、２１：受信部、２２：制御部、２３：送信部、２４：表示部、２５：アラーム部、２６：点灯部、２７：電源部、２８：記憶部、２９：遠隔操作部、３０：端末機器、３０Ａ：パソコン、３０Ｂ：情報通信端末
【図１】
2017209482.tif 000003
【図２】
2017209482.tif 000004
【図３】
2017209482.tif 000005
【図４】
2017209482.tif 000006
【図５】
2017209482.tif 000007
【図６】
2017209482.tif 000008
【図７】
2017209482.tif 000009
【図８】
2017209482.tif 000010
【図９】
2017209482.tif 000011
【図１０】
2017209482.tif 000012
【図１１】
2017209482.tif 000013
【図１２】
2017209482.tif 000014